(57)【要約】【課題】携帯端末の紛失時における情報漏洩のリスクを削減すると同時に故障時におけるデータ損失のリスクを削減すること。【解決手段】携帯端末１００のデータ管理装置であって、携帯端末１００のデータ群２４を記録する記憶部１９と、ＧＰＳ衛星と通信して前記携帯端末の現在位置を取得するとともに前記データ群２４を前記携帯端末と外部サーバとの間で送受信する通信部２３と、前記現在位置が所定の領域内に含まれるか否かを判定する位置情報判定部１２と、前記位置情報判定部１２の判定結果に応じて前記データ群２４へのアクセスの可否と前記データ群２４の外部サーバとの送受信とを制御する制御部１０と、を備える。【選択図】図１
2008219375.tif 000002
【特許請求の範囲】
【請求項１】
携帯端末のデータを記録する記憶部と、
ＧＰＳ衛星と通信して前記携帯端末の現在位置を取得するとともに前記データを前記携帯端末と外部サーバとの間で送受信する通信部と、
前記現在位置が所定の領域内に含まれるか否かを判定する第１の判定部と、
前記第１の判定部の判定結果に応じて前記データへのアクセスの可否と前記データの外部サーバとの送受信とを制御する制御部と、を備えたことを特徴とする携帯端末データ管理装置。
【請求項２】
現在時刻を計測する時計と、
前記現在時刻が所定の時間帯に含まれるか否かを判定する第２の判定部と、をさらに備え、
前記制御部が、前記第１および第２の判定部の判定結果に応じて前記データへのアクセスの可否と前記データの外部サーバとの送受信とを制御するように構成されたことを特徴とする、請求項１に記載の携帯端末データ管理装置。
【請求項３】
前記制御部が、前記第１の判定部または前記第１および第２の判定部の判定結果に応じて、さらに、前記記憶部に記録された前記データを消去するように構成されたことを特徴とする、請求項１または２に記載の携帯端末データ管理装置。
【請求項４】
前記記憶部が、揮発性メモリまたは不揮発性メモリであることを特徴とする、請求項１ないし３のいずれかに記載の携帯端末データ管理装置。
【請求項５】
（ａ）携帯端末のデータへのアクセスを受け付ける工程と、
（ｂ）前記携帯端末の現在位置を取得する工程と、
（ｃ）前記現在位置が所定の領域内に含まれるか否かを判定する工程と、を含む携帯端末データ管理方法であって、
前記判定工程（ｃ）において現在位置が所定の領域内に含まれると判定された場合に、
（ｄ）前記データを外部のサーバから受信する工程と、
（ｅ）前記データへのアクセスを許可する工程と、をさらに含み、
それ以外の場合に、
（ｆ）前記データへのアクセスを禁止とする工程と、
（ｇ）前記データを外部のサーバへ送信する工程と、をさらに含むことを特徴とする携帯端末データ管理方法。
【請求項６】
（ｈ）現在時刻を計測する工程と、
（ｉ）前記現在時刻が所定の時間帯に含まれるか否かを判定する工程と、をさらに含み、前記判定工程（ｃ）において現在位置が所定の領域内に含まれると判定され、かつ、前記判定工程（ｉ）において現在時刻が所定の時間帯に含まれると判定された場合に、前記受信工程（ｄ）と、前記アクセス許可工程（ｅ）と、を含み、それ以外の場合に、前記アクセス禁止工程（ｆ）と、前記送信工程（ｇ）と、を含むことを特徴とする、請求項５に記載の携帯端末データ管理方法。
【請求項７】
前記送信工程（ｇ）の後、
（ｊ）前記データを消去する工程をさらに含むことを特徴とする、請求項５または６に記載の携帯端末データ管理方法。
【発明の詳細な説明】
【技術分野】
【０００１】
本発明は携帯端末データ管理装置および方法に関し、特に、携帯端末の位置情報を利用した携帯端末データ管理装置および方法に関する。
【背景技術】
【０００２】
携帯端末には、電話帳、メール、スケジュール等の個人情報に関するデータが多く蓄積されているため、携帯端末を紛失した場合、これらの個人情報が漏洩する危険性がある。また、携帯端末の記憶素子の容量が増すにつれて、大量のデータが蓄積できるようになったため、携帯端末が故障した場合、大量のデータを損失する危険性もある。
【０００３】
従来の携帯端末においては、電源を切った場合にもデータを保持するため、携帯端末内で扱う電話帳、メール、スケジュールなどのデータは、携帯端末内の不揮発性メモリ等に記録されている。
【０００４】
また、情報漏洩を防ぐため、利用者が携帯端末内のデータを利用する場合、利用者にパスワードを入力させることによってデータへのアクセス権を与えるなどのセキュリティ技術が利用されている。
【０００５】
なお、特許文献１において、携帯端末のデータを外部のＷｅｂサーバに記録し、保持する技術が開示され、特許文献２において、携帯端末の利用者の行動が事前に携帯端末に記録したスケジュールと一致するか否かを判定してセキュリティ機能を働かせる技術が開示されている。
【０００６】
【特許文献１】特開２００５−１７５６７６号公報
【特許文献２】特開２００６−３５２５６１号公報
【発明の開示】
【発明が解決しようとする課題】
【０００７】
従来のように、不揮発性メモリにデータを記録した場合、携帯端末の紛失時において、情報が漏洩する危険性がある。
【０００８】
また、パスワードによって、データのアクセス制限を行うのみでは、携帯端末の故障時においてデータを損失するリスクを回避することができない。
【０００９】
特許文献１に開示された技術では、携帯端末故障時におけるデータ損失のリスクは削減できるものの、携帯端末紛失時における情報漏洩を防ぐことができない。
【００１０】
特許文献２に開示された技術では、携帯端末紛失時の情報漏洩を防ぐこができるものの、故障時におけるデータ損失を防ぐことができない。
【００１１】
そこで、本発明は、携帯端末の紛失時における情報漏洩を防ぐと同時に故障時における情報損失のリスクを減らすことを課題とする。
【課題を解決するための手段】
【００１２】
本発明の第１の視点に係る携帯端末データ管理装置は、携帯端末のデータを記録する記憶部と、ＧＰＳ衛星と通信して前記携帯端末の現在位置を取得するとともに前記データを前記携帯端末と外部サーバとの間で送受信する通信部と、前記現在位置が所定の領域内に含まれるか否かを判定する第１の判定部と、前記第１の判定部の判定結果に応じて前記データへのアクセスの可否と前記データの外部サーバとの送受信とを制御する制御部と、を備えたことを特徴とする。
【００１３】
本発明の第２の視点に係る携帯端末データ管理方法は、（ａ）携帯端末のデータへのアクセスを受け付ける工程と、（ｂ）前記携帯端末の現在位置を取得する工程と、（ｃ）前記現在位置が所定の領域内に含まれるか否かを判定する工程と、を含む携帯端末データ管理方法であって、前記判定工程（ｃ）において現在位置が所定の領域内に含まれると判定された場合に、（ｄ）前記データを外部のサーバから受信する工程と、（ｅ）前記データへのアクセスを許可する工程と、をさらに含み、それ以外の場合に、（ｆ）前記データへのアクセスを禁止とする工程と、（ｇ）前記データを外部のサーバへ送信する工程と、をさらに含むことを特徴とする。
【００１４】
第１の展開形態の携帯端末データ管理装置は、現在時刻を計測する時計と、前記現在時刻が所定の時間帯に含まれるか否かを判定する第２の判定部と、をさらに備え、前記制御部が、前記第１および第２の判定部の判定結果に応じて前記データへのアクセスの可否と前記データの外部サーバとの送受信とを制御するように構成されたことを特徴とする。
【００１５】
第２の展開形態の携帯端末データ管理装置は、前記制御部が、前記第１の判定部または前記第１および第２の判定部の判定結果に応じて、さらに、前記記憶部に記録された前記データを消去するように構成されたことを特徴とする。
【００１６】
第３の展開形態の携帯端末データ管理装置は、前記記憶部が、揮発性メモリまたは不揮発性メモリであることを特徴とする。
【００１７】
第４の展開形態の携帯端末データ管理方法は、（ｈ）現在時刻を計測する工程と、（ｉ）前記現在時刻が所定の時間帯に含まれるか否かを判定する工程と、をさらに含み、前記判定工程（ｃ）において現在位置が所定の領域内に含まれると判定され、かつ、前記判定工程（ｉ）において現在時刻が所定の時間帯に含まれると判定された場合に、前記受信工程（ｄ）と、前記アクセス許可工程（ｅ）と、を含み、それ以外の場合に、前記アクセス禁止工程（ｆ）と、前記送信工程（ｇ）と、を含むことを特徴とする。
【００１８】
第５の展開形態の携帯端末データ管理方法は、前記送信工程（ｇ）の後、（ｊ）前記データを消去する工程、をさらに含むことを特徴とする。
【発明の効果】
【００１９】
本発明の実施の形態に係る携帯端末データ管理装置および方法によって、携帯端末を紛失した場合の情報漏洩のリスクが削減できるとともに、携帯端末の故障によるデータ損失のリスクを削減することができる。
【発明を実施するための最良の形態】
【００２０】
本発明の実施の形態に係る携帯端末データ管理装置は、図１および図２を参照すると、携帯端末１００のデータを携帯端末１００の外部の記憶装置において保存するとともに、これらのデータへのアクセス制御を行ってセキュリティを向上させる。
【００２１】
携帯端末１００内で扱う電話帳、メール、スケジュールなどのデータ（２０、２１、２２）は、図２を参照すると、例えば、Ｗｅｂサーバ１２０に蓄積される。携帯端末１００の利用者が予め設定しておいた特定の場所や特定の時間帯において利用するときのみ、Ｗｅｂサーバ１２０上に蓄積されたデータをダウンロードし、利用者は携帯端末１００において参照することが可能となる。
【００２２】
携帯端末１００は定期的に、位置情報や時刻情報を取得し、利用者が移動することによって指定領域の内部から外部へ出た場合（図３参照）や予め指定した時間帯が経過した場合に携帯端末１００内のデータへのアクセスを禁止する。その後、携帯端末１００内のデータをＷｅｂサーバ１２０へ登録・更新し、携帯端末１００内からデータを消去する。
【００２３】
上記の実施形態に係る携帯端末データ管理装置において、例えば、会社用の電話帳データを会社内においてのみアクセスできるように設定しておくことにより、社外において携帯端末１００を失くした場合であっても、携帯端末１００から会社用の電話帳データが漏洩する危険性を減らすことができる。
【００２４】
また、時刻情報を用いてアクセス権を制御する例として、予め携帯端末１００内のデータへのアクセス可能な時間帯を勤務時間帯に設定しておき、勤務時間帯以外に携帯端末１００内へのデータにアクセスする場合は、パスワード認証を行うことによって、指定時間帯以外の時間帯におけるアクセス制限を課してセキュリティを向上させることもできる。
【００２５】
さらに、携帯端末１００内のデータを携帯端末１００の外部（例えば、Ｗｅｂサーバ１２０）に保管することにより、携帯端末１００が故障した場合であっても、データを容易に回復することができ、データが損失するリスクを減らすことができる。
【００２６】
また、図２、図３に示した、利用者が携帯端末１００のデータへアクセスすることのできる指定領域は複数個指定することができることが好ましい。
【００２７】
このとき、指定領域毎に携帯端末１００内で扱うデータ（電話帳、メール、スケジュールなど）を区別して登録し、Ｗｅｂサーバ１２０において保管することができる。
【００２８】
したがって、会社においては公用（仕事用）のデータにアクセスし、家庭においては私用のデータにアクセスする等、携帯端末１００の利用場所に応じて、携帯端末１００において、アクセス可能なデータを区別することができることが好ましい。
【００２９】
本発明の実施例の形態に係る携帯端末データ管理装置の構成について、図１を参照して、さらに詳細に説明する。
【００３０】
携帯端末１００は、操作部１１、位置情報判定部１２、電話帳機能部１３、メーラー機能部１４、スケジューラー機能部１５を備えるとともに、アンテナ１７および無線通信制御部１９から成る通信部２３ならびに電話帳データ２０、メールデータ２１およびスケジュールデータ２２を記録する記憶部１９を備える。記憶部１９に記録された電話帳データ２０、メールデータ２１およびスケジュールデータ２２をデータ群２４と呼ぶ。
【００３１】
制御部１０は、装置内の各部を制御する。
【００３２】
操作部１１は、利用者が入力した入力情報を取得して制御部１０に渡し、制御部１０は、状況に応じて各機能部（１３、１４、１５）に入力情報を通知する。
【００３３】
電話帳、メーラーまたはスケジューラーの機能（１３、１４、１５）を起動している間に、操作が行われた場合、操作部１１は、制御部１０へ入力情報を渡し、制御部１０は、各機能を実現する、電話帳機能部１３、メーラー機能部１４またはスケジューラー機能部１５へ入力情報を通知する。
【００３４】
位置情報判定部１２は、ＧＰＳ衛星（図２の１３０）から取得した携帯端末１００の現在位置の情報に基づいて、現在位置が指定領域内であるか否かを判定する。
【００３５】
電話帳機能部１３は、電話帳の登録、削除または編集などの電話帳データ２０に関する処理を行う。
【００３６】
電話帳データ２０は記憶部１９に記録されており、電話帳機能部１３は、電話帳データ２０の情報を読み取り、登録、編集、削除などの処理を行う。
【００３７】
メーラー機能部１４は、新規メールの作成、送受信メールの削除、送受信メールの読み込みなどのメールデータ２１に関する処理を行う。
【００３８】
メールデータ２１は記憶部１９に記録されており、メーラー機能部１４はメールデータ２１を読み取り、新規作成、削除などの処理を行う。
【００３９】
スケジューラー機能部１５はスケジュールの登録や編集、削除などのスケジュールデータ２２に関する処理を行う。
【００４０】
スケジュールデータ２２は記憶部１９に記録されており、スケジューラー機能部１５はスケジュールデータ２２の情報を読み取り、登録、編集、削除などの処理を行う。
【００４１】
表示部１６は、電話帳、メールまたはスケジューラーの表示を行う。
【００４２】
通信部２３はアンテナ１７と無線通信制御部１８とを備える。
【００４３】
無線通信制御部１８は、アンテナ１７を介して、基地局１１０またはＧＰＳ衛星１３０との間で無線通信を行い、データの送受信を行う。
【００４４】
記憶部１９は、様々な情報を記録・保持する。記憶部１９は、特に、電話帳データ２０、メールデータ２１、スケジュールデータ２２（データ群２４）を記録し、保持する。
【００４５】
記憶部１９は、揮発性メモリであることが好ましい。
【００４６】
記憶部１９を揮発性メモリとした場合、携帯端末１００の電源を落とすことによって、記憶部１９の内部に格納されている上記のデータは全て消去される。
【００４７】
なお、上記の実施の形態における記憶部１９は、不揮発性メモリであってもよい。
【００４８】
本発明の実施形態に係る携帯端末データ管理装置の動作を、図２および図３を参照して説明する。
【００４９】
携帯端末データ管理装置は、図２を参照すると、ＧＰＳ衛星１３０によって取得した現在位置情報を利用して、データ群２４へのアクセス権を制御する。
【００５０】
携帯端末１００の現在位置が、予め指定しておいた指定領域内にあるときのみ、Ｗｅｂサーバ１２０上からデータ群２４をダウンロードし、これらのデータにアクセスすることができる。
【００５１】
図２は、携帯端末１００が指定領域の外部から内部へと移動したときの様子を表し、図３は、携帯端末１００が指定領域の内部から外部へと移動したときの様子を表している。
【００５２】
本発明の実施形態に係る携帯端末データ管理装置は、図２を参照すると、携帯端末１００内のデータ群２４をネットワーク１４０に接続されたＷｅｂサーバ１２０に保存する。
【００５３】
また、携帯端末１００は、図２を参照すると、ＧＰＳ衛星１３０と定期的に通信し、現在位置情報を取得する。
【００５４】
携帯端末１００が、指定領域の外部から内部へ移動し、現在位置情報も指定領域外から指定領域内に移動したときに、携帯端末１００は自動的に基地局１１０と通信し、Ｗｅｂサーバ１２０上のデータ群２４を携帯端末１００にダウンロードし、これらのデータ群２４を利用者がアクセス可能な状態にする。
【００５５】
ＧＰＳ衛星１３０から取得する現在位置情報が指定領域に含まれる場合、利用者は携帯端末１００の記憶部１９に記録されたデータ群２４に自由にアクセスできる。
【００５６】
しかし、図３に示すように、携帯端末１００が指定領域の内部から外部へと移動し、ＧＰＳ衛星１３０から定期的に取得する現在位置情報も指定領域の内部から外部へ移った場合には、携帯端末１００内のデータ群２４に対する利用者のアクセス権限を無効にする。
【００５７】
さらに、この場合、携帯端末１００に格納されているデータ群２４をＷｅｂサーバ１２０へ送信し、Ｗｅｂサーバ１２０上におけるデータ群２４を更新した後、携帯端末１００に格納されているデータ群２４を消去する。
【００５８】
本発明の実施の形態に係る携帯端末データ管理装置の動作について図４のフローチャートに基づいて説明する。
【００５９】
利用者が電話帳機能部１３、メーラー機能部１４、スケジューラー機能部１５を起動した場合、携帯端末１００の記憶部１９に記録されたデータ群２４へのアクセス要求が発生し（ステップＳ１）、制御部１０は位置情報判定部１２に現在位置情報の判定を依頼する。
【００６０】
位置情報判定部１２は、ＧＰＳ衛星１３０から現在位置情報を取得して、携帯端末１００の現在位置が指定領域内であるか否かを判定する（ステップＳ２）。
【００６１】
現在位置情報が指定領域内であると判定された（ステップＳ２）場合、携帯端末１００内のデータに対する利用者のアクセスを許可する（ステップＳ３）。
【００６２】
アクセスを許可した（ステップＳ３）後、携帯端末１００の記憶部１９に、利用者によって要求されたデータが格納されているか否かを判定する（ステップＳ４）。
【００６３】
要求されたデータが記憶部１９に記録されていると判定された（ステップＳ４）場合、利用者はデータ群２４を利用することができる。
【００６４】
要求されたデータが記憶部１９に記録されていないと判定された（ステップＳ４）場合、Ｗｅｂサーバ１２０からデータ群２４をダウンロードすることによって取得し（ステップＳ５）、利用者はデータ群２４の利用が可能となる。
【００６５】
携帯端末１００内のデータにアクセスする電話帳機能部１３、メーラー機能部１４、またはスケジューラー機能部１５を利用している間は、定期的にＧＰＳ衛星１３０から位置情報を取得し、携帯端末位置が指定領域に含まれるか否かの判定を行う（ステップＳ２）。
【００６６】
現在位置情報が指定領域外と判定された場合（ステップＳ２）は、携帯端末１００内のデータ群２４へのアクセスを禁止する（ステップＳ６）。
【００６７】
アクセスを禁止した（ステップＳ６）後、記憶部１９にデータ群２４が記録されているか否かを判定する（ステップＳ７）。
【００６８】
記憶部１９にデータ群２４が格納されていないと判定された（ステップＳ７）場合、アクセス不可の通知（ステップＳ１０）によって、電話帳機能部１３、メーラー機能部１４またはスケジューラー機能部１５が利用できないことを利用者に知らせて終了する。
【００６９】
一方、記憶部１９のデータ群２４へのアクセスが禁止され（ステップＳ６）、携帯端末内に情報が格納されていると判定された（ステップＳ７）場合、記憶部１９に格納されているデータ群２４をＷｅｂサーバ１２０へ送信して、Ｗｅｂサーバ１２０に記録されたデータ群２４を更新する（ステップＳ８）。さらに、記憶部１９に記録されたデータ群２４を消去し（ステップＳ９）、利用者にアクセス不可の通知（ステップＳ１０）を行って、電話帳機能部１３、メーラー機能部１４またはスケジューラー機能部１５が利用できないことを利用者に知らせて終了する。
【００７０】
以上説明したように、本発明の携帯端末データ管理装置は、以下に記載するような効果を奏する。
【００７１】
第１の効果は、携帯端末内のデータ群（電話帳データ、メールデータ、スケジュールデータなど）をＷｅｂサーバで管理しており、アクセス権が無いときは携帯端末内からデータ群を消去しているため、携帯端末紛失時などに携帯端末からの情報漏洩を抑制できることである。
【００７２】
第２の効果は、携帯端末内のデータ群をサーバで管理しているので、携帯端末故障時にデータ群を回復することができることである。
【００７３】
第３の効果は、位置情報を用いて携帯端末内のデータ群へのアクセス権を管理しているため、携帯端末を通常利用する場所以外の外部へ持ち出されることによって起こる情報漏洩を抑止することができることである。
【００７４】
上述の実施形態に係る携帯端末データ管理装置においては、携帯端末１００内のデータ群２４に対するアクセスが要求された際に、携帯端末１００の位置情報を用いた判定を行うが、位置情報による判定に他の認証方法を組み合わせても良い。
【００７５】
例えば、位置情報による判定が有効とされ（例えば、携帯端末１００の現在位置が予め利用者が指定した指定領域内である）場合、さらに、パスワード認証を求め、パスワード認証が成功した場合のみ携帯端末１００のデータ群２４をＷｅｂサーバ１２０からダウンロードしてアクセスできるようにする方法を採用しても良い。
【００７６】
また、予めアクセスできる時間帯を設定しておき、時間帯によるアクセス権の制御を行う方法を用いてもよい。
【００７７】
さらに、本発明において、携帯端末１００内のデータ群２４へアクセスできる場所（指定領域）を、複数設定できるようにしても良い。
【００７８】
また、その複数の指定領域に対応して、携帯端末に記録されたそれぞれ別のデータを保管できる機能を加えても良い。
【００７９】
本発明の実施例や図の中で、Ｗｅｂサーバ１２０上で管理するデータとして、携帯端末１００の記憶部１９に記録された電話帳データ２０、メールデータ２１、スケジュールデータ２２を挙げているが、本発明で扱うＷｅｂサーバ１２０上で保管するデータはこれらに限定されるものではなく、これら以外の携帯端末内のデータをＷｅｂサーバ１２０上に管理するデータに含ませても良い。
【産業上の利用可能性】
【００８０】
携帯電話端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，  Ｐｅｒｓｏｎａｌ  Ｄｉｇｉｔａｌ  Ａｓｓｉｓｔａｎｔｓ：個人向け携帯型情報通信機器）等の現在位置が取得可能な携帯端末において、電話帳やメール、スケジューラーなどの機能に対してアクセス制限を設定する際に、本発明に係るデータ管理装置および方法を利用することができる。
【図面の簡単な説明】
【００８１】
【図１】本発明の実施の形態に係る携帯端末データ管理装置の構成図である。
【図２】本発明の実施の形態に係る携帯端末データ管理装置の動作を説明するための図である。
【図３】本発明の実施の形態に係る携帯端末データ管理装置の動作を説明するための図である。
【図４】本発明の実施の形態に係る携帯端末データ管理装置の動作のフローチャートである。
【符号の説明】
【００８２】
１０  制御部
１１  操作部
１２  位置情報判定部
１３  電話帳機能部
１４  メーラー機能部
１５  スケジューラー機能部
１６  表示部
１７  アンテナ
１８  無線通信制御部
１９  記憶部
２０  電話帳データ
２１  メールデータ
２２  スケジュールデータ
２３  通信部
２４  データ群
１００  携帯端末
１１０  基地局
１２０  Ｗｅｂサーバ
１３０  ＧＰＳ衛星
１４０  ネットワーク
【図１】
2008219375.tif 000003
【図２】
2008219375.tif 000004
【図３】
2008219375.tif 000005
【図４】
2008219375.tif 000006